(57)【特許請求の範囲】
【請求項１】
略長方形状の平板として形成された複数枚の仕切りパーツを連結して構成されるパーテーションであって、前記仕切りパーツは、一方の縦辺の縁部から突出形成された連結用凸部と、他方の縦辺に沿って形成された連結用スリットと、他方の縦辺と平行に形成された山折線及び谷折線と、この山折線と谷折線とを折り曲げると、前記連結用スリットに入り込むように形成される舌片状の切起し凸部とを具備しており、前記山折線と谷折線とを折り曲げて連結用スリットに切起し凸部を挿入した状態で、隣接する仕切りパーツの連結用凸部を前記切起し凸部に重ねて連結用スリットに挿入することで仕切りパーツ同士を連結して構成されることを特徴とするパーテーション。
【請求項２】
前記仕切りパーツは、縦辺に平行に折曲可能になっていることを特徴とする請求項１記載のパーテーション。
【請求項３】
前記仕切りパーツは、段ボール製であることを特徴とする請求項１又は２記載のパーテーション。
【請求項４】
前記山折線及び前記谷折線とを折り曲げることで前記仕切りパーツの表裏両面側に突出した控え壁部を形成することを特徴とする請求項１、２又は３記載のパーテーション。
【請求項５】
前記連結用凸部、前記連結用スリット及び前記切起し凸部には、連結用スリットに挿入された連結用凸部と切起し凸部とがロックされるロック機構が設けられていることを特徴とする請求項１、２、３又は４記載のパーテーション。
【請求項６】
請求項１乃至５記載のパーテーションのいずれかで取り囲まれたことを特徴とする簡易個室。
【請求項７】
前記パーテーションを構成する複数枚の仕切りパーツのうち、少なくと１つの仕切りパーツの連結用凸部は隣接する仕切りパーツの連結用スリットには挿入されていないことを特徴とする請求項６記載の簡易個室。
【請求項８】
パーテーションで取り囲まれた内部に複数個の個装箱を並べて構成された簡易ベッドが配置されたことを特徴とする請求項６又は７記載の簡易個室。
【請求項９】
請求項８記載の簡易個室において、前記簡易ベッドは、複数個の個装箱を並べて構成されたものであることを特徴とする簡易個室。
【請求項１０】
請求項８記載の簡易個室において、前記簡易ベッドは、複数個のスリーブと、このスリーブに納められた複数個の個装箱とから構成されることを特徴とする簡易個室。
【請求項１１】
請求項８記載の簡易個室において、前記簡易ベッドは、複数の個装箱の上に配置される上板をさらに具備していることを特徴とする簡易個室。
【請求項１２】
請求項６、７、８、９、１０又は１１記載の簡易個室において、個装箱の内部には、補強板が筋交い状に組み込まれていることを特徴とする簡易個室。
【発明の詳細な説明】
【技術分野】
【０００１】
本発明は、簡単に独立した空間を形成することができるパーテーションと、それを利用した簡易個室とに関する。
【背景技術】
【０００２】
本願の発明者は、段ボール紙等の厚紙を使用した折り畳み式の簡易ベッドを創案した。意匠登録第１４４７６３４号、同１４４７６３３号及び同１４４３２７７号である。
この折り畳み式の簡易ベッドは、６個のスリーブと、このスリーブに納められる合計２４個の個装箱と、２枚の上板と、各個装箱内に筋交いに入れられる２４枚の補強板とを有している。
前記個装箱は、一般的な大きさ（３１６ｍｍ×２１５ｍｍ×３４３ｍｍ）の組立式の段ボール箱である。また、前記スリーブは、前記個装箱が４個（２×２）納められるものであって、底面及び上面を欠いた四角筒状になっている。前記上板は、４個の個装箱が納められた６個のスリーブを縦方向に３個、横方向に２個の合計６個を並べたのとほぼ同等の大きさに設定された段ボール紙等の厚紙である。
これらのものから構成される折り畳み式簡易ベッドは、４個の個装箱が納められた６個のスリーブを縦方向に３個、横方向に２個の合計６個を並べて、その上に２枚の上板を載せて形作られる。
前記上板を上側に折り曲げると、下側の個装箱が現れる。この個装箱は、被服や小物を収納するための収納スペースとして使用することもできる。
かかる折り畳み式の簡易ベッドは、地震、津波、台風等の自然災害発生時の避難所等で使用されるものであり、床面との間が個装箱分だけ空いているので、身体を冷やすことなく眠ることができ、特に、高齢者にとってはベッドは起き上がりやすいので、この折り畳み式簡易ベッドを使用するとストレスの多い避難所生活であっても、健康を害したりすることなく寝たきりを未然に防止することができる。
個装箱は、避難所から仮設住宅等に移動する際に荷物を入れる梱包箱としても利用可能である。
【０００３】
また、本願の発明者は、個装箱として農産物を収納する合成樹脂製のコンテナを利用した簡易ベッドを創案した。特開２０１８−１１０７６３である。
また、この簡易ベッドでは仕切り板を設けたので、ある程度密着して配置したとしてもある程度のプライバシーを確保することができるようになっている。
【０００４】
【特許文献１】意匠登録第１４４７６３４号公報
【特許文献２】意匠登録第１４４７６３３号公報
【特許文献３】意匠登録第１４４３２７７号公報
【特許文献４】特開２０１８−１１０７６３号公報
【発明の開示】
【発明が解決しようとする課題】
【０００５】
上述した簡易ベッドのうち、仕切り板を設けた簡易ベッドでは、ある程度のプライバシーは確保することができるが、その確保は不十分であった。
また、２０２０年に発生した新型コロナウィルス感染症では、数多くの患者が発生するため、すべての患者を病院に入院させることが難しい現状がある。
そこで、ウィルスに感染していたとしてもいまだ発症していない未発症者、発症していたとしても症状が軽い軽症者を病院ではなく、ホテル等の宿泊施設、学校や体育館に隔離することが必要になる場合がある。
かかる場合、病院で使用される通常のベッドの確保が難しいため、上述した簡易ベッドを使用できればよい。
【０００６】
しかしながら、上述した簡易ベッドは、主として避難所での使用を目的としたものであり、未発症者、軽症者（以下、まとめて軽症者等とする）といえどもウィルスを保有している者への使用を想定したものではないので、上述した簡易ベッドの仕切り板では施設内でのウィルスの蔓延を防止することは難しく、感染者でない医療従事者等にウィルスに感染してしまう危険性が存在する。
【０００７】
本発明は、上記事情に鑑みて創案されたもので、新型コロナウィルス感染症等の感染症の軽症者等を隔離する際にウィルスが蔓延しにくく、感染者でない医療従事者等の感染の危険性をより小さくすることができるパーテーションと、それを利用した簡易個室とを提供することを目的としている。
【課題を解決するための手段】
【０００８】
本発明に係るパーテーションは、略長方形状の平板として形成された複数枚の仕切りパーツを連結して構成されるパーテーションであって、前記仕切りパーツは、一方の縦辺の縁部から突出形成された連結用凸部と、他方の縦辺に沿って形成された連結用スリットと、他方の縦辺と平行に形成された山折線及び谷折線と、この山折線と谷折線とを折り曲げると、前記連結用スリットに入り込むように形成される舌片状の切起し凸部とを備えており、前記山折線と谷折線とを折り曲げて連結用スリットに切起し凸部を挿入した状態で、隣接する仕切りパーツの連結用凸部を前記切起し凸部に重ねて連結用スリットに挿入することで仕切りパーツ同士を連結して構成されている。
【０００９】
また、前記仕切りパーツは、縦辺に平行に折曲可能になっている。
【００１０】
さらに、前記仕切りパーツは、段ボール製である。
【００１１】
前記山折線及び前記谷折線とを折り曲げることで前記仕切りパーツの表裏両面側に突出したに控え壁部を形成する。
【００１２】
前記連結用凸部、前記連結用スリット及び前記切起し凸部には、連結用スリットに挿入された連結用凸部と切起し凸部とがロックされるロック機構が設けられている。
【００１３】
本発明にかかる簡易個室は、前記パーテーションで取り囲まれて構成されている。
【００１４】
前記パーテーションを構成する複数枚の仕切りパーツのうち、少なくと１つの仕切りパーツの連結用凸部は隣接する仕切りパーツの連結用スリットには挿入されていないとよい。
【００１５】
前記パーテーションで取り囲まれた内部に複数個の個装箱を並べて構成された簡易ベッドを配置して簡易個室とする。
【００１６】
簡易個室の前記簡易ベッドは、複数個の個装箱を並べて構成される。
【００１７】
また、前記簡易ベッドは、複数個のスリーブと、このスリーブに納められた複数個の個装箱とから構成される。
【００１８】
また、前記簡易ベッドは、複数の個装箱の上に配置される上板をさらに有している。
【００１９】
さらに、前記簡易ベッドは、個装箱の内部に補強板を筋交い状に組み込んでいる。
【発明の効果】
【００２０】
本発明に係るパーテーションは、略長方形状の平板として形成された複数枚の仕切りパーツを連結して構成することができるので、簡単に組み立てることができる。
しかも、段ボールで構成するとその製造は容易で、なおかつ廃棄も簡単である。
このパーテーションやそれを利用した簡易個室は、製造、組み立て、廃棄が容易であるで、地震や台風等の災害発生時の避難所におけるプライバシー確保に役立つだけではなく、再感染の防止が重要視される新型コロナウィルス感染症等の感染症の軽症者等の隔離に適しているとともに、軽症者等を隔離する際にウィルスが蔓延しにくく、感染者でない医療従事者等の感染の危険性をより小さくすることができる
【図面の簡単な説明】
【００２１】
【図１】本発明に係るパーテーションを構成する１枚の仕切りパーツの概略的正面図である。
【図２】本発明に係るパーテーションを構成する仕切りパーツの切起し凸部と連結用スリットとを示す概略的斜視図である。
【図３】本発明に係るパーテーションを利用して構成した簡易個室の概略的平面図である。
【図４】本発明に係るパーテーションを構成する他の１枚の仕切りパーツの概略的正面図である。
【図５】本発明に係るパーテーションを構成する仕切りパーツを連結した際に仕切りパーツ同士の連結をロックするロック機構の概略的斜視図である。
【発明を実施するための形態】
【００２２】
本発明の実施の形態に係るパーテーションは、略長方形状の平板として形成された複数枚の仕切りパーツ１００を連結して構成されるパーテーションであって、前記仕切りパーツ１００は、一方の縦辺１１０の縁部から突出形成された連結用凸部１１１と、他方の縦辺１２０に沿って形成された連結用スリット１２２と、他方の縦辺１２０と平行に形成された山折線１３０及び谷折線１３１と、この山折線１３０と谷折線１３１とを折り曲げると、前記連結用スリット１２２に入り込むように形成される舌片状の切起し凸部１２１とを備えており、前記山折線１３０と谷折線とを折り曲げて連結用スリット１２１に切起し凸部１２１を挿入した状態で、隣接する仕切りパーツ１００の連結用凸部１１１を前記切起し凸部１２１に重ねて連結用スリット１２２に挿入することで仕切りパーツ１００同士を連結して構成される。
【００２３】
前記仕切りパーツ１００は、図１に示すように高さ寸法が１４５０ｍｍ、後述する連結用凸部１１１を除いた幅寸法が８５０ｍｍの略長方形状の平板となった段ボール紙である。
この仕切りパーツ１００を複数個横方向に連結することでパーテーションが形成される。
なお、仕切りパーツ１００は段ボール紙製であるとしたが、紙製でなくともポリプロピレン等の合成樹脂製のものであっても問題ないことはいうまでもない。
【００２４】
かかる仕切りパーツ１００の一方の縦辺１１０（図面では左側の縦辺）には、２つの連結用凸部１１１が突出形成されている。なお、突出用凸部１１１の突出量は５０ｍｍ、突出幅は２００ｍｍに設定されている。
【００２５】
一方、他方の縦辺１２０（図面では右側の縦辺）から１００ｍｍだけ内側に入った箇所には、他方の縦辺１２０に平行になった山折線１３０が、この山折線１３０からさらに５０ｍｍだけ内側に入った箇所には他方の縦辺１２０に平行になった谷折線１３１が形成されている。
しかも、この山折線１３０は１８０度近く折曲するのでハーフカット、谷折線１３１は折曲しても９０度までなので罫線となっている。
【００２６】
また、前記山折線１３０と他方の縦辺１２０との間には、２つの連結用スリット１２２が縦方向に並んで形成されている。しかも、この連結用スリット１２２は、図１に示すように、前記連結用凸部１１１に対応した位置、すなわち前記連結用凸部１１１と縦方向に同じ位置に形成されている。
この連結用スリット１２２は、図１に示すように、縦長の細長い略菱形に形成されている。しかも、この連結用スリット１２２の縦方向の長さは、前記連結用凸部１１１の突出幅よりわずかに小さい１９９ｍｍに設定されている。また、この連結用スリット１２２の最大幅は１０ｍｍに設定されている。
【００２７】
さらに、前記山折線１３０と谷折線１３１との間には、切起し凸部１２１が形成されている。この切起し凸部１２１は、谷折線１３１から山折線１３０に向かって形成された切り込みと山折線１３０上に形成された切り込みとからなり、山折線１３０と谷折線１３１とを折り曲げると舌片状となって連結用スリット１２２に入り込むようになっている。
すなわち、この切起し凸部１２１の突出量は、谷折線１３１と山折線１３０との間の寸法と等しく５０ｍｍとなっている。また、この切起し凸部１２１の突出幅は２００ｍｍに設定されている。
しかも、この切起し凸部１２１が形成されるのは、連結用スリット１２２に対応した位置、すなわち前記連結用凸部１１１と縦方向に同じ位置に形成されている。
【００２８】
また、この仕切りパーツ１００の幅中央部には、中心部罫線１４０が形成されている。この中心部罫線１４０は、仕切りパーツ１００を組み合わせて構成されるパーテーションを形成する際に折曲される部分となる。
【００２９】
このように構成された１２枚の仕切りパーツ１００を１２枚用いた平面視正方形状のパーテーションの組み立て手順について説明する。
このパーテーションは、図３に示すように、平面視正方形状の簡易個室５００として構成される。
【００３０】
まず、４枚の仕切りパーツ１００を中央部罫線１４０から９０度折曲する。
この４枚の仕切りパーツ１００は、簡易個室５００の四隅となる。
さらに、すべての仕切りパーツ１００の山折線１３０と谷折線１３１とを折り曲げて、切起し凸部１２１を山折線１３０から切り離して起して連結用スリット１２２に挿入する。
なお、連結用スリット１２２の縦方向の長さは、切起し凸部１２１の突出幅の２００ｍｍよりわずかに小さい１９９ｍｍに設定されているので、連結用スリット１２２に挿入された切起し凸部１２１は容易には抜けないようになる。
【００３１】
仕切りパーツ１００の連結用凸部１１１を隣接する仕切りパーツ１００の連結用スリット１２２に挿入する。
すると、連結用スリット１２２の縦方向の長さは連結用凸部１１１の突出幅の２００ｍｍよりもずわかに小さい１９９ｍｍに設定されており、しかも連結用スリット１２２にはすでに隣接する仕切りパーツ１００の切起し凸部１２１が挿入されていることと相まって連結用スリット１２２に挿入された連結用凸部１１１は容易には抜けないようになる。
【００３２】
なお、１２枚の仕切りパーツ１００のうち１つは、連結用凸部１１１を隣接する仕切りパーツ１００の連結用スリット１２２には挿入しないようにする。
このようにすることで、隣接する仕切りパーツ１００の連結用スリット１２２に挿入されていない連結用凸部１１１を有する仕切りパーツ１００は開閉扉として機能することになる。
【００３３】
上述したように１２枚の仕切りパーツ１００から構成されたパーテーションは、内側と周囲とを区画するので、パーテーションで取り囲まれた内側は簡易個室５００として独立する。
【００３４】
各仕切りパーツ１００は、山折線１３０と谷折線１３１とで折り曲げることで仕切りパーツ１００の表裏両面側に突出した控え壁部１５０が形成される。この控え壁部１５０は、仕切りパーツ１００自体の自立、パーテーションとなった場合の自立の維持に資するものとなる。
【００３５】
さらに、この控え壁部１５０を形成することで、パーテーションで取り囲まれた簡易個室５００内に後述する簡易ベッド６００を配置すると、控え壁部１５０の突出量だけパーテーションから離れて設置することになる。
すなわち、この控え壁部１５０の存在故に、簡易個室５００を可能な限り密着させて併設したとしても隣接する簡易個室５００同士の簡易ベッド６００の間には、控え壁部１５０の突出量の３倍の隙間が形成されることになる。
この隙間は、新型コロナウィルス感染症等の感染症の軽症者の収容に際しても重要であるし、地震等の自然災害発生時の避難所でも感染症の蔓延を防止するために非常に重要となる。
すなわち、控え壁部１５０はパーテーションの自立のみならず、感染症対策としても非常に重要な構成といえる。
【００３６】
上述したパーテーションを構成する仕切りパーツ１００は、１枚の仕切りパーツ１００の連結用スリット１２２に自身の切起し凸部１２１と、隣接する仕切りパーツ１００の連結用凸部１１１とを挿入することで連結されていたが、単に連結用凸部１１１と切起し凸部１２１とを重ねた状態で挿入するにすぎなかった。
このため、パーテーションに対して不用意に大きな力を加えると、連結用凸部１１１や切起し凸部１２１が連結用スリット１２２から抜け出し、最悪の場合にはパーテーションが分解、倒壊してしまうおそれがあった。
【００３７】
このような問題を未然に防止するために、仕切りパーツ１００に図４及び図５に示すようなロック機構１６０を設けた。
このロック機構１６０は、前記連結用凸部１１１、前記連結用スリット１２２及び前記切起し凸部１２１に設けられており、連結用スリット１２２に挿入された連結用凸部１１１と切起し凸部１２１とをロックするものである。
【００３８】
かかるこのロック機構１６０は、連結用凸部１１１に開設された長穴状の第１のロック用穴部１１１Ａと、切起し凸部１２１に開設された長穴状の第２のロック用穴部１２１Ａと、連結用スリット１２２の内側の対向位置に、しかも前記第１のロック用穴部１１１Ａ及び第２のロック用穴部１２１Ａに対応する位置に形成された突起１２２Ａとから構成される。
【００３９】
切起し凸部１２１を連結用スリット１２２に挿入するとともに、反対方向から連結用凸部１１１を連結用スリット１２２に挿入する（なお、図４では連結用凸部１１１は見えていない）。
切起し凸部１２１と連結用凸部１１１とが連結用スタント１２２に挿入されると、切起し凸部１２１の第２のロック用穴部１２１Ａと連結用凸部１１１の第１のロック用穴部１１１Ａとにそれぞれ突起１２２Ａが挿入される。これによって、連結された仕切りパーツ１００同士がロック機構１６０によってより強固に連結され、その結果、仕切りパーツ１００の連結によって構成されたパーテーションの分解、倒壊を未然に防止することができるようになる。
【００４０】
なお、このロック機構１６０は、上述した構成に限定されるものではなく他の構成であっても連結した仕切りパーツ１００同士をロックするものであればよいことはいうまでもない。
さらに、このロック機構１６０は必須のものではなく省略することも可能であることもいうまでもない。
【００４１】
なお、上述したパーテーションは、取り囲まれた簡易個室５００として機能するように構成したが、取り囲むように構成せずとも単なる壁や仕切りとして構成することもできることはいうまでもない。
【００４２】
このように複数枚（図面では１２枚）の仕切りパーツ１００からなるパーテーションを簡易個室５００とした場合、さらに内部に簡易ベッド６００を配置してより病室や簡易避難所として適したものとするとができる。
【００４３】
この簡易ベッド６００としては、単に複数個の個装箱を並べて構成されたタイプ、複数個のスリーブと、このスリーブに納められた複数個の個装箱とから構成されたタイプ、複数の個装箱の上にさらに上板を配置したタイプ、個装箱の内部に補強板を筋交い状に組み込んだタイプ等がある。
【００４４】
個装箱としては、一般的な大きさ（３１６ｍｍ×２１５ｍｍ×３４３ｍｍ）の組立式の段ボール箱を利用する。また、前記スリーブは、前記個装箱が４個（２×２）納められるものであって、底面及び上面を欠いた四角筒状になっている。前記上板は、４個の個装箱が納められた６個のスリーブを縦方向に３個、横方向に２個の合計６個を並べたのとほぼ同等の大きさに設定された段ボール紙等の厚紙である。
これらのものから構成される折り畳み式簡易ベッドは、４個の個装箱が納められた６個のスリーブを縦方向に３個、横方向に２個の合計６個を並べて、その上に２枚の上板を載せて形作られる。
前記上板を上側に折り曲げると、下側の個装箱が現れる。この個装箱は、被服や小物を収納するための収納スペースとして使用することもできる。                                
【００４５】
また、個装箱としては段ボール箱ではなく、農産物を収納する既存の合成樹脂製のコンテナを利用することも可能である。
【００４６】
なお、上述した簡易個室５００は簡易ベッド６００のみを配置したとして説明したが、簡易ベッド６００だけではなく、テーブルや椅子等の他の家具類を配置するようにすることも可能である。
また、簡易個室５００のサイズは上述したものに限定されることなく、仕切りパーツ１００を追加又は削減することで他のサイズにも展開できる。
【符号の説明】
【００４７】
１００    仕切りパーツ
１１０    一方の縦辺
１１１    連結用凸部
１２０    他方の縦辺
１２１    切起し凸部
１２２    連結用スリット
１３０    山折線
１３１    谷折線
【要約】      （修正有）【課題】新型コロナウィルス感染症の軽症者等を隔離する際にウィルスが蔓延しにくく、感染の危険性をより小さくすることができるパーテーションと簡易個室を提供する。【解決手段】略長方形状の平板として形成された複数枚の仕切りパーツ100を連結して構成され、仕切りパーツ100は、一方の縦辺110の縁部から突出形成された連結用凸部111と、他方の縦辺120に沿って形成された連結用スリット122と、他方の縦辺120と平行に形成された山折線130及び谷折線131と、山折線130と谷折線131とを折曲すると、連結用スリット122に入り込むように形成される舌片状の切起し凸部121とを備え、山折線130と谷折線130とを折曲して連結用スリット121に切起し凸部121を挿入して、隣接する仕切りパーツ１００の連結用凸部111を切起し凸部121に重ねて連結用スリット122に挿入して仕切りパーツ100同士を連結する。【選択図】図１【図１】
0006887647.tif 000002
【図２】
0006887647.tif 000003
【図３】
0006887647.tif 000004
【図４】
0006887647.tif 000005
【図５】
0006887647.tif 000006